(57)【要約】【課題】光学部品の冷却を効率良く行うことができ、製造工程を簡略化することができる光学装置を提供する。【解決手段】入射する複数の色光を各色光毎に画像情報に応じて変調して光学像を形成する複数の光変調装置４４１と、各光変調装置と対向する複数の光束入射端面を有し、各光変調装置で形成された色光毎の光学像を合成する色合成光学素子４４４とを備えた光学装置４４は、各光変調装置と、色合成光学素子の各光束入射端面との間に介在し、光束入射端面に基板４４３Ａ１を介して取り付けられ、光束の光学変換を行う複数の光学素子４４３Ａ２と、色合成光学素子の各光束入射端面と交差する端面に設けられ、該色合成光学素子と熱伝導可能に取り付けられる熱伝導性材料からなる台座４４５とを備える。台座には、各光学素子が設けられる基板４４３Ａの端面に沿って突出し、該基板の端面に接続される熱伝導性部材が設けられる。【選択図】  図７
2005274739.tif 000002
【特許請求の範囲】
【請求項１】
入射する複数の色光を各色光ごとに画像情報に応じて変調して光学像を形成する複数の光変調装置と、これら各光変調装置と対向する複数の光束入射端面を有し、各光変調装置で形成された各色光ごとの光学像を合成する色合成光学素子とを備えた光学装置であって、
それぞれの前記光変調装置と、前記色合成光学素子の各光束入射端面との間に介在し、該光束入射端面に基板を介して取り付けられ、それぞれの前記光変調装置から射出される光束の光学変換を行う複数の光学素子と、
前記色合成光学素子の各光束入射端面と交差する端面に設けられ、該色合成光学素子と熱伝導可能に取り付けられる熱伝導性材料からなる台座とを備え、
この台座には、それぞれの前記光学素子が設けられる基板の端面に沿って突出し、該基板の端面に接続される熱伝導性部材が設けられていることを特徴とする光学装置。
【請求項２】
請求項１に記載の光学装置において、
前記熱伝導性部材は、前記台座に一体的に形成されていることを特徴とする光学装置。
【請求項３】
請求項１または請求項２に記載の光学装置において、
前記光学素子の基板と接触するとともに、他の部品を保持する熱伝導性の保持部材を備え、
この保持部材は、前記熱伝導性部材に熱伝導可能に接続されていることを特徴とする光学装置。
【請求項４】
請求項３に記載の光学装置において、
前記光変調装置と、前記光学素子との間には、さらに第２の光学素子が介在し、
この第２の光学素子は、前記保持部材によって保持されていることを特徴とする光学装置。
【請求項５】
請求項３または請求項４に記載の光学装置において、
前記保持部材には、前記光変調装置が熱伝導可能に取り付けられていることを特徴とする光学装置。
【請求項６】
請求項１から請求項５のいずれかに記載の光学装置において、
前記台座が取り付けられる前記色合成光学素子の端面と対向する端面には、さらに別の台座が取り付けられ、
この台座には、前記熱伝導性部材が設けられているとともに、前記端面への取付面とは反対側の面に、放熱用のフィンが形成されていることを特徴とする光学装置。
【請求項７】
請求項６に記載の光学装置において、
前記台座のフィンは、面外方向に突出する略円錐台形状に複数形成され、
これらフィンの間隔は、３ｍｍ以上とされていることを特徴とする光学装置。
【請求項８】
光源から射出された光束を画像情報に応じて変調して光学像を形成して、前記光学像を拡大投写するプロジェクタであって、
請求項１から請求項７のいずれかに記載の光学装置を備えていることを特徴とするプロジェクタ。
【請求項９】
光源から射出された光束を画像情報に応じて変調して光学像を形成して、前記光学像を拡大投写するプロジェクタであって、
請求項６または請求項７に記載の光学装置と、この光学装置に設けられた複数の光変調装置のそれぞれに冷却空気を送風する冷却手段とを備え、
前記複数の光変調装置のうち、発熱量の少ない光変調装置を冷却する冷却空気が、前記台座のフィン間を流通する冷却流路が形成されていることを特徴とするプロジェクタ。
【発明の詳細な説明】
【技術分野】
【０００１】
本発明は、入射する複数の色光を各色光ごとに画像情報に応じて変調して光学像を形成する複数の光変調装置と、これら各光変調装置と対向する複数の光束入射端面を有し、各光変調装置で形成された各色光ごとの光学像を合成する色合成光学素子とを備えた光学装置、および、この光学装置を備えたプロジェクタに関する。
【背景技術】
【０００２】
従来、会議、学会、展示会等でのプレゼンテーションや、家庭での映画鑑賞等にプロジェクタが用いられている。このようなプロジェクタには、内部に光源と、この光源から射出された光束を画像情報に応じて変調して光学像を形成する複数の光変調装置と、これら各光変調装置の後段に配置され、該光変調装置から射出された光束の光学変換を行う偏光板等の光学素子と、これら光学素子から射出された光束を合成する色合成光学素子とを備えた光学装置が設けられたものが知られており、このプロジェクタは、光学装置で形成された光学像を投写レンズ等の投写光学系により拡大投写する。
【０００３】
近年、プロジェクタの高輝度化が促進され、これに伴い、プロジェクタ内部に配置された部品が高温化する傾向にある。特に、前述の光学装置には、光源から射出された光束が集中し、自ら発熱するとともに熱に弱い光学部品が多く配置されており、これら光学部品を効率良く冷却することが、プロジェクタの機能維持および製品寿命の延長において重要である。このため、このような光学装置の冷却の問題に対して、多くの方法が検討されてきた。
【０００４】
このような問題に対して、発熱し、かつ、熱に弱い光学部品に熱伝導性の部材を接触させ、該光学部品からの熱を伝導させて放熱させることにより、該光学部品の冷却を行うプロジェクタが知られている（例えば、特許文献１参照）。この特許文献１に記載のプロジェクタでは、光学装置に設けられた偏光板を熱伝導性の保持部材で保持し、この保持部材を色合成光学素子であるクロスダイクロイックプリズムの上下に配置された熱伝導性の放熱部材および／またはプリズム台座に接触させて熱の伝導経路を形成し、この経路に熱を伝導させて放熱している。また、このプロジェクタには、シロッコファンが設けられており、このシロッコファンから光学装置に冷却空気を送風して、偏光板および光変調装置（液晶パネル）を冷却している。このような構成により、これら光学部品を冷却して、安定した光学像の形成を図っている。
【０００５】
【特許文献１】特開２００３−１２１９３１号公報
【発明の開示】
【発明が解決しようとする課題】
【０００６】
しかしながら、特許文献１に記載のプロジェクタでは、偏光板の熱は、保持部材を介して放熱部材および／またはプリズム台座に伝導される経路しかないため、偏光板の熱の伝導効率が良いとは言い難く、シロッコファンからの冷却空気の送風量を多くして、これらを冷却する必要がある。このため、プロジェクタに小型のファンを配置して、この小型のファンを高回転で駆動して送風量を確保するか、大型のファンを配置して、この大型のファンを低回転で駆動して送風量を確保するかのいずれかとなり、プロジェクタの小型化および低騒音化の両立が困難であるという課題があった。また、光学装置においても、光学部品間の連結およびこれら光学部品の材質・材厚を変える等して発熱量の均等化を図る必要があり、光学装置の製造工程が煩雑化するという課題があった。
【０００７】
本発明の目的は、光学部品の冷却を効率良く行うことができ、製造工程を簡略化することができる光学装置を提供することである。
【課題を解決するための手段】
【０００８】
本発明の光学装置は、入射する複数の色光を各色光ごとに画像情報に応じて変調して光学像を形成する複数の光変調装置と、これら各光変調装置と対向する複数の光束入射端面を有し、各光変調装置で形成された各色光ごとの光学像を合成する色合成光学素子とを備えた光学装置であって、それぞれの前記光変調装置と、前記色合成光学素子の各光束入射端面との間に介在し、該光束入射端面に基板を介して取り付けられ、それぞれの前記光変調装置から射出される光束の光学変換を行う複数の光学素子と、前記色合成光学素子の各光束入射端面と交差する端面に設けられ、該色合成光学素子と熱伝導可能に取り付けられる熱伝導性材料からなる台座とを備え、この台座には、それぞれの前記光学素子が設けられる基板の端面に沿って突出し、該基板の端面に接続される熱伝導性部材が設けられていることを特徴とする。
【０００９】
ここで、光学素子としては、例えば、偏光膜、位相差膜、色補正膜、および視野角補償膜等を挙げることができる。
本発明によれば、光学素子で発生した熱を、色合成光学素子に伝導できるほか、熱伝導性部材を介して台座に伝導できるので、光学素子の熱が伝導する経路を多くすることができる。従って、光学素子の熱伝導経路を増やして、光学素子で発生した熱を迅速に分散させることができ、光学素子の冷却効率を向上することができる。
また、光学素子は、基板を介して、色合成光学素子に取り付けられ、台座に光学素子の基板の端面に接触するように熱伝導性部材を設けることにより、光学素子で発生した熱が分散されるので、該光学素子の発熱量の均等化を図ることができる。これにより、光学素子で発生する熱の均等化を図るために、他の光学部品を含めた材質・材厚の調整をする必要をなくすことができる。従って、光学装置の製造工程を簡略化することができる。
【００１０】
本発明では、前記熱伝導性部材は、前記台座に一体的に形成されていることが好ましい。
本発明によれば、台座の構成および製造工程を簡略化することができる。すなわち、これら熱伝導性部材および台座を一体的に形成することにより、部品点数が少なくなり、光学装置の構成を簡素化できる。また、これらを別部材とした場合には、それぞれの部材を取り付ける接着等の工程が必要となるが、これらを一体的に形成することにより、このような工程を省略することができる。従って、光学装置の製造工程を簡略化することができる。
【００１１】
本発明では、前記光学素子の基板と接触するとともに、他の部品を保持する熱伝導性の保持部材を備え、この保持部材は、前記熱伝導性部材に熱伝導可能に接続されていることが好ましい。
本発明によれば、他の部品を保持する熱伝導性の保持部材が、光学素子の基板に接触するとともに、熱伝導性部材に接続されているので、光学素子で発生した熱の伝導経路をさらに増やすことができる。これにより、光学素子で発生した熱の分散を促進することができるとともに、該光学素子の熱の放熱面積を拡大することができる。また、これにより、熱伝導された部材の高温化を防ぐことができ、これら部材による放熱効率を向上することができる。従って、光学素子の熱を伝導・分散させて、該光学素子を一層効率良く冷却することができる。
【００１２】
本発明では、前記光変調装置と、前記光学素子との間には、さらに第２の光学素子が介在し、この第２の光学素子は、前記保持部材によって保持されていることが好ましい。
本発明によれば、前述の光学素子で発生した熱と同様に、第２の光学素子の熱は保持部材に伝導される。これによれば、第２の光学素子の熱を、保持部材および熱伝導性部材を介して、台座に伝導させることができる。従って、第２の光学素子を効果的に冷却することができる。
【００１３】
本発明では、前記保持部材には、前記光変調装置が熱伝導可能に取り付けられていることが好ましい。
本発明によれば、前述の光学素子で発生した熱と同様に、光変調装置で発生した熱を、台座に伝導させて放熱させることができる。この際、光変調装置の熱は、保持部材および熱伝導性部材を経由して台座に伝導されるので、光変調装置の熱の放熱面積を拡大することができる。従って、光変調装置の熱を効率良く冷却することができるので、光変調装置の製品寿命を延ばすことができるほか、安定した光学像形成を実現することができる。
【００１４】
本発明では、前記台座が取り付けられる前記色合成光学素子の端面と対向する端面には、さらに別の台座が取り付けられ、この台座には、前記熱伝導性部材が設けられているとともに、前記端面への取付面とは反対側の面に、放熱用のフィンが形成されていることが好ましい。
本発明によれば、光学素子等の熱を２つの台座に分散させて放熱することができるので、光学素子の熱の放熱面積をさらに拡大することができるとともに、台座をはじめとする各部材の高温化を抑えることができる。これにより、光学素子の冷却効率が一層向上できる。また、各部材の高温化を抑えることができるので、これら部材の変形を抑え、光学像形成の安定化を図ることができる。
また、別の台座には、放熱用のフィンが形成されているので、台座の放熱面積を一層拡大することができ、この台座を効果的に冷却することができる。従って、台座に伝導される光学素子等の熱を、一層効果的に冷却することができる。
【００１５】
本発明では、前記台座のフィンは、面外方向に突出する略円錐台形状に複数形成され、これらフィンの間隔は、３ｍｍ以上とされていることが好ましい。
本発明によれば、略円錐台形状に複数形成されたフィン間の距離が、それぞれ３ｍｍ以上とされているので、これらフィン間を流通する空気の通風性を向上することができる。これにより、フィンに伝導された熱と空気との熱交換効率を向上することができる。従って、台座の冷却効率を向上することができ、ひいては、光学素子を効率良く冷却することができる。
【００１６】
本発明のプロジェクタは、光源から射出された光束を画像情報に応じて変調して光学像を形成して、前記光学像を拡大投写するプロジェクタであって、前述の光学装置を備えていることを特徴とする。
【００１７】
本発明によれば、前述の光学装置と略同じ効果を奏することができる。すなわち、光学素子で発生した熱を効果的に分散させて冷却することができるので、この光学素子の冷却効率を向上させることができる。従って、光学装置における光学像形成を安定化させることができる。
また、熱伝導性部材を設けることにより、該光学素子の発熱量の均等化を図ることができるので、光学装置ひいてはプロジェクタの製造工程を簡素化することができる。
【００１８】
あるいは、本発明のプロジェクタは、光源から射出された光束を画像情報に応じて変調して光学像を形成して、前記光学像を拡大投写するプロジェクタであって、前述の光学装置と、この光学装置に設けられた複数の光変調装置のそれぞれに冷却空気を送風する冷却手段とを備え、前記複数の光変調装置のうち、発熱量の少ない光変調装置を冷却する冷却空気が、前記台座のフィン間を流通する冷却流路が形成されていることを特徴とする。
【００１９】
本発明によれば、前述のプロジェクタと略同じ効果を奏することができるほか、台座に形成されたフィンを効果的に冷却できる。ここで、光変調装置のうち、発熱量の少ない光変調装置を冷却する冷却空気は、発熱量の高い他の光変調装置の冷却に供された冷却空気より温度が低い。このため、この温度の低い冷却空気を、台座のフィン間に流通させることにより、台座に伝導された光学素子の熱の冷却を効果的に行うことができる。従って、台座の冷却効率を一層向上することができ、ひいては、光学素子の冷却効率を向上することができる。
また、光学素子の冷却効率を向上できるので、冷却手段からの冷却空気の送風量を低減させることができる。これにより、冷却手段として小型の送風ファンを用いた場合では、高回転で駆動させる必要が無くなり、また、出力する送風量が大きい大型のファンを設ける必要が無い。従って、プロジェクタの小型化および低騒音化を実現することができる。
【発明を実施するための最良の形態】
【００２０】
〔１．第１実施形態〕
以下、本発明の第１実施形態を図面に基づいて説明する。
（１）外観構成
図１および図２には、本発明の第１実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学系を含む装置本体を内部に収納する外装ケース２および外装ケース２から露出する投写レンズ３を備えている。
投写レンズ３は、後述する光変調装置としての液晶パネルにより光源から射出された光束を画像情報に応じて変調形成された光学像を拡大投写する投写光学系としての機能を具備するものであり、筒状体内部に複数のレンズが収納された組レンズとして構成される。
【００２１】
筐体としての外装ケース２は、投写方向に直交する幅方向の寸法が投写方向寸法よりも大きい幅広の直方体形状をなし、装置本体の上部を覆うアッパーケース２１と、装置本体の下部を覆うロアーケース２２と、装置本体の前面部分を覆うフロントケース２３とを備えている。これら各ケース２１〜２３は、射出成形等によって成形された合成樹脂製の一体成形品である。
【００２２】
アッパーケース２１は、装置本体の上部を覆う上面部２１Ａと、この上面部２１Ａの幅方向端部から略垂下する側面部２１Ｂ、２１Ｃと、上面部２１Ａの後端部から略垂下する背面部２１Ｄとを備えている。
上面部２１Ａの投写方向前側には、プロジェクタ１の起動・調整操作を行うための操作パネル２４が設けられている。この操作パネル２４は、起動スイッチ、画像・音声等の調整スイッチを含む複数のスイッチを備え、プロジェクタ１による投写時には、操作パネル２４中の調整スイッチ等を操作することにより、画質・音量等の調整を行うことができる。
【００２３】
また、上面部２１Ａの操作パネル２４の隣には、複数の孔２４１が形成されていて、この内部には、図示を略したが、音声出力用のスピーカが収納されている。
これら操作パネル２４およびスピーカは、後述する装置本体を構成する制御基板と電気的に接続され、操作パネル２４による操作信号はこの制御基板で処理される。
背面部２１Ｄには、略中央部分に上面部２１Ａ側に切り欠かれた凹部が形成され、この凹部には、後述する制御基板に接続されたインターフェース基板上に設けられたコネクタ群２５が露出する。
【００２４】
ロアーケース２２は、アッパーケース２１との係合面を中心として略対称に構成され、底面部２２Ａ、側面部２２Ｂ、２２Ｃ、および背面部２２Ｄを備えている。そして、側面部２２Ｂ、２２Ｃ、および背面部２２Ｄは、その上端部分でアッパーケース２１の側面部２１Ｂ、２１Ｃ、および背面部２１Ｄの下端部分と係合し、外装ケース２の側面部分および背面部分を構成する。
【００２５】
底面部２２Ａには、プロジェクタ１の後端側略中央に固定脚部２６が設けられているとともに、先端側幅方向両端に調整脚部２７が設けられている。
この調整脚部２７は、底面部２２Ａから面外方向に進退自在に突出する軸状部材から構成され、軸状部材自体は、外装ケース２の内部に収納されている。このような調整脚部２７は、プロジェクタ１の側面部分に設けられる調整ボタン２７１を操作することにより、底面部２２Ａからの進退量を調整することができる。
これにより、プロジェクタ１から射出された投写画像の上下位置を調整し、適切な位置に投写画像を形成することができるようになる。
【００２６】
また、底面部２２Ａには、外装ケース２の内部と連通する開口部２８、２９、３０が形成されている。
開口部２８は、プロジェクタ１の光源を含む光源装置を着脱する部分であり、通常は、ランプカバー２８１によって塞がれている。
開口部２９、３０は、スリット状の開口部として構成される。
開口部２９は、光源ランプから射出された光束を画像情報に応じて変調する光変調装置としての液晶パネルを含む光学装置を冷却するための冷却空気取込用の吸気用開口部である。
開口部３０は、プロジェクタ１の装置本体を構成する電源ユニット、光源駆動回路を冷却するための冷却空気取込用の吸気用開口部である。
尚、開口部２９、３０は、そのスリット状開口部分で常時プロジェクタ１内部と連通しているため、塵埃等が内部に侵入しないように、それぞれの内側に防塵フィルタが設けられている。
【００２７】
さらに、底面部２２Ａには、底面部２２Ａに対して外側にスライド自在に取り付けられた蓋部材３１が設けられていて、この蓋部材３１の内部には、プロジェクタ１を遠隔操作するためのリモートコントローラが収納されるようになっている。尚、図示しないリモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、外装ケース前面および背面に設けられる受光部３１１を介して制御基板で処理される。
【００２８】
背面部２２Ｄには、アッパーケース２１の場合と同様に、略中央部分に底面部２２Ａ側に切り欠かれた凹部が形成され、前記インターフェース基板上に設けられたコネクタ群２５が露出するとともに、端部近傍にもさらに開口部３２が形成されていて、この開口部３２からインレットコネクタ３３が露出している。インレットコネクタ３３は、外部電源からプロジェクタ１に電力を供給する端子であり、後述する電源ユニットと電気的に接続される。
【００２９】
フロントケース２３は、前面部２３Ａおよび上面部２３Ｂを備えて構成され、上面部２３Ｂの投写方向後端側で前述したアッパーケース２１およびロアーケース２２の投写方向先端部分と係合する。
前面部２３Ａには、投写レンズ３を露出させるための略円形状の開口部３４、およびその隣に形成された複数のスリットから構成される開口部３５が形成されている。
【００３０】
開口部３４は、その上面側がさらに開口され、投写レンズ３の鏡筒の一部が露出していて、鏡筒周囲に設けられたズーム・フォーカス調整用のつまみ３Ａ，３Ｂを外部から操作することができるようになっている。
開口部３５は、装置本体を冷却した空気を排出する排気用開口部として構成され、後述するプロジェクタ１の構成部材である光学系、制御系、および電源ユニット・ランプ駆動ユニットを冷却した空気は、この開口部３５からプロジェクタ１の投写方向に排出される。
【００３１】
（２）内部構成
このような外装ケース２の内部には、図３〜図５に示されるように、プロジェクタ１の装置本体が収納されており、この装置本体は、光学ユニット４（図３および図４）、制御基板５（図４）、電源ブロック６（図４）および冷却ユニット７（図３および図４）を備えて構成される。
(2-1)光学ユニット４の構造
光学系としての光学ユニット４は、光源装置から射出された光束を画像情報に応じて変調して光学像を形成し、投写レンズ３を介してスクリーン上に投写画像を形成するものであり、図４に示される光学部品用筐体４０という光学部品用筐体内に、光源装置や、種々の光学部品等を組み込んだものとして構成される。
この光学部品用筐体４０は、部品収納部材４０１、および図４では図示を略した蓋状部材から構成され、それぞれは、射出成形等による合成樹脂製品である。
【００３２】
部品収納部材４０１は、光学部品を収納する底面部４０１Ａ及び側壁部４０１Ｂからなる上部が開口された容器状に形成され、側壁部４０１Ｂには、複数の溝部４０１Ｃが設けられている。この溝部４０１Ｃには、光学ユニット４を構成する種々の光学部品が装着され、これにより各光学部品は、光学部品用筐体４０内に設定された照明光軸上に精度よく配置される。蓋状部材は、この部品収納部材４０１に応じた平面形状を有し、部品収納部材４０１の上面を塞ぐ蓋状部材として構成される。
また、部品収納部材４０１の底面部４０１Ａの光束射出側端部には、円形状の開口部が形成された前面壁が設けられていて、この前面壁には、投写レンズ３の基端部分が接合固定される。
【００３３】
このような光学部品用筐体４０内は、図５に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、光学部品用筐体４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、第１レンズアレイ４１２、第２レンズアレイ４１３、偏光変換素子４１４、および重畳レンズ４１５を備えて構成される。
【００３４】
光源装置４１１は、放射光源としての光源ランプ４１６およびリフレクタ４１７を備え、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００３５】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。各小レンズの輪郭形状は、後述する光変調装置４４１の画像形成領域の形状とほぼ相似形をなすように設定される。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光変調装置４４１上に結像させる機能を有する。
【００３６】
偏光変換素子４１４は、第２レンズアレイ４１３からの光を１種類の偏光光に変換するものであり、これにより、光学装置４４での光の利用率が高められている。
具体的に、偏光変換素子４１４によって１種類の偏光光に変換された各部分光束は、重畳レンズ４１５によって最終的に光学装置４４の光変調装置４４１上にほぼ重畳される。偏光光を変調するタイプの光変調装置４４１を用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４における光の利用効率を高めている。なお。このような偏光変換素子４１４は、例えば、特開平８−３０４７３９号公報に紹介されている。
【００３７】
色分離光学系４２は、２枚のダイクロイックミラー４２１、４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を光変調装置４４１Ｒまで導く機能を有している。
【００３８】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の光変調装置４４１Ｂに到達する。このフィールドレンズ４１８は、第２レンズアレイ４１３から射出された各部分光束をその中心軸（主光線）に対して平行な光束に変換する平行化レンズである。他の光変調装置４４１Ｇ，４４１Ｒの光入射側に設けられたフィールドレンズ４１８も同様である。
【００３９】
また、ダイクロイックミラー４２１を透過した赤色光と緑色光のうちで、緑色光は、ダイクロイックミラー４２２によって反射し、フィールドレンズ４１８を通って、緑色用の光変調装置４４１Ｇに到達する。一方、赤色光は、ダイクロイックミラー４２２を透過してリレー光学系４３を通り、さらにフィールドレンズ４１８を通って、赤色光用の光変調装置４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００４０】
光学装置４４は、入射された光束を画像情報に応じて変調してカラー画像を形成するものであり、色分離光学系４２で分離された各色光が入射される３つの偏光板４４２と、各偏光板４４２の後段に配置される光変調装置４４１Ｒ，４４１Ｇ，４４１Ｂと、各光変調装置４４１Ｒ，４４１Ｇ，４４１Ｂの後段に配置される光学変換板４４３と、色合成光学素子としてのクロスダイクロイックプリズム４４４とを備える。
【００４１】
光変調装置４４１Ｒ，４４１Ｇ，４４１Ｂは、液晶パネル４４１Ｒ１，４４１Ｇ１，４４１Ｂ１を備えている。この液晶パネル４４１Ｒ１，４４１Ｇ１，４４１Ｂ１は、例えば、ポリシリコンＴＦＴをスイッチング素子として用いたものであり、図５では図示を略したが、対向配置される一対の透明基板内に液晶が密封封入されたパネル本体が、保持枠４４７Ａ，４４７Ｂ（図８参照）内に収納される。
光学装置４４において、色分離光学系４２で分離された各色光は、これら３つの光変調装置４４１Ｒ，４４１Ｇ，４４１Ｂ、偏光板４４２、および光学変換板４４３によって画像情報に応じて変調されて光学像を形成する。
【００４２】
偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
【００４３】
光学変換板４４３は、第１光学変換板４４３Ａと、第２光学変換板４４３Ｂとから構成されている。
第１光学変換板４４３Ａは、前述の偏光板４４２と略同様の機能を有し、入射された光束のうち、所定方向の偏光光のみを透過させ、その他の光束を吸収する本発明の光学素子に対応するものである。この第１光学変換板４４３Ａに透過させる偏光光の偏光軸は、偏光板４４２における透過させる偏光光の偏光軸に対して直交するように設定されている。
【００４４】
このような第１光学変換板４４３Ａは、基板４４３Ａ１（図８参照）と、偏光軸が所定方向とされた状態で、この基板４４３Ａ１の光束入射側端面に貼り付けられる光学素子としての偏光膜４４３Ａ２（図８参照）とを備えている。
基板４４３Ａ１は、水晶製の矩形の板材である。この基板４４３Ａ１は、光学軸方向で９．３Ｗ／（ｍ・Ｋ）の熱伝導率を有し、この光学軸と直交する方向で５．４Ｗ（ｍ・Ｋ）の熱伝導率を有する。なお、基板４４３Ａ１は、水晶のほか、サファイアガラス、石英、または蛍石等で構成してもよい。
偏光膜４４３Ａ２は、矩形状のフィルムであり、ポリビニルアルコール（ＰＶＡ）にヨウ素を吸着・分散させてフィルム状とした後に、このフィルム状のものを一定方向に延伸し、その後、延伸されたフィルムの両面に、アセテートセルロース系のフィルムを接着剤で積層させることにより形成されている。
【００４５】
第２光学変換板４４３Ｂは、第１光学変換板４４３Ａと同様に、光変調装置４４１（４４１Ｒ，４４１Ｇ，４４１Ｂ）から射出された光束のうち、所定方向の偏光光のみを透過させ、その他の光束を吸収するとともに、光変調装置４４１（４４１Ｒ，４４１Ｇ，４４１Ｂ）から射出された光束の視野角を拡大する。
【００４６】
この第２光学変換板４４３Ｂは、基板４４３Ｂ１（図８参照）と、この基板４４３Ｂ１の光束射出側端面に貼り付けられる偏光膜４４３Ｂ２（図８参照）と、基板４４３Ｂ１の光束入射側端面に貼り付けられる視野角補償膜４４３Ｂ３（図８参照）とを備えている。このうち、偏光膜４４３Ｂ２および視野角補償膜４４３Ｂ３は、本発明における第２の光学素子に対応するものである。
基板４４３Ｂ１は、前述した第１光学変換板４４３Ａの基板４４３Ａ１と同様のものである。
偏光膜４４３Ｂ２は、前述した偏光膜４４３Ａ２と同様のものであるが、光吸収特性が異なる。また、この偏光膜４４３Ｂ２は、その偏光軸が偏光膜４４３Ａ２と平行となる状態で基板４４３Ｂ１の光束射出側端面に貼り付けられる。
視野角補償膜４４３Ｂ３は、光変調装置４４１（４４１Ｒ，４４１Ｇ，４４１Ｂ）で生じる複屈折を補償し、光変調装置４４１（４４１Ｒ，４４１Ｇ，４４１Ｂ）で形成された光学像の視野角が拡大され、かつ投写画像のコントラストが向上する。
【００４７】
クロスダイクロイックプリズム４４４は、光学変換板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このような光学装置４４は、ユニットとして構成され、前述した光学部品用筐体４０の投写レンズ３の光路前段に配置され、部品収納部材４０１の底面部にねじ止め固定される。なお、光学装置４４のユニット化された構造については、後に詳述する。
【００４８】
(2-2)制御基板５の構造
制御基板５は、図３に示すように、光学ユニット４の上側を覆うように配置され、演算処理装置、液晶パネル駆動用ＩＣが実装されたメイン基板５１と、このメイン基板５１の後端側で接続され、外装ケース２の背面部２１Ｄ、２２Ｄに起立するインターフェース基板５２とを備えている。
インターフェース基板５２の背面側には、前述したコネクタ群２５が実装されていて、コネクタ群２５から入力する画像情報は、このインターフェース基板５２を介してメイン基板５１に出力される。
【００４９】
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して光変調装置４４１Ｒ，４４１Ｇ，４４１Ｂの液晶パネル４４１Ｒ１，４４１Ｇ１，４４１Ｂ１を駆動させ、これにより、画像情報に応じて光変調を行って光学像が形成される。
このようなメイン基板５１は、パンチングメタルを折り曲げ加工した板金５３によって覆われ、この板金５３は、メイン基板５１上の回路素子等によるＥＭＩ（電磁障害）を防止するために設けられている。
【００５０】
(2-3)電源ブロック６の構造
電源ブロック６は、図示を略すが、電源と、この電源の下方に配置されたランプ駆動回路（バラスト）とを含んで構成される。
電源は、前記インレットコネクタに接続された図示しない電源ケーブルを通して外部から供給された電力を、前記ランプ駆動回路や制御基板５等に供給するものである。
ランプ駆動回路は、光学ユニット４を構成する光源ランプ４１６に、電源から供給された電力を供給するものであり、前記光源ランプと電気的に接続されている。このようなランプ駆動回路は、例えば、基板に配線することにより構成できる。
【００５１】
(2-4)冷却ユニット７の構造
図３および図４に示すように、冷却手段としての冷却ユニット７は、投写レンズ３を挟んでそれぞれ対向配置される２つのシロッコファン７１，７２と、ダクト７３および導風板７４（図３および図４では図示省略。図１１および図１２参照）と、排気ファン７５および排気ダクト７６とから構成されている。
【００５２】
シロッコファン７１は、ロアーケース２２の側面部２２Ｃ側に配置され、シロッコファン７２は、投写レンズ３を挟んで、ロアーケース２２の前方側略中央に配置されている。これらシロッコファン７１，７２は、開口部２９を介して吸入したプロジェクタ１外部の空気を、光学装置４４の下方に配置されたダクト７３および導風板７４に送風して、光学装置４４を下方から冷却する。
排気ファン７５および排気ダクト７６は、ロアーケース２２の側面部２２Ｂ側の前面側に配置されている。このうち、排気ファン７５は、軸流ファンとされ、光学ユニット４の光源装置４１１に吸気面を向け、排気ダクト７６に排気面を向けている。この排気ファン７５は、シロッコファン７１，７２から送風され、光学ユニット４を冷却した冷却空気を吸入して、排気ダクト７６を介してプロジェクタ１外部に排出する。
なお、ダクト７３および導風板７４の構造については、後に詳述する。
【００５３】
（３）光学装置４４の構造
図６には、光変調装置４４１Ｂを上方から左手に見た光学装置４４の斜視図が示されている。また、図７には、光学装置４４の分解斜視図が示されている。なお、図７では、説明を簡略化するために、赤色光が入射する光束入射面の構成のみを示し、他の光束入射面については説明および図示を省略するが、緑色光が入射する光束入射面および青色光が入射する光束入射面においても略同様の構成を備えている。
【００５４】
光学装置４４は、図６および図７に示すように、クロスダイクロイックプリズム４４４を中心として、該クロスダイクロイックプリズム４４４の光束入射面である３面に、光変調装置４４１Ｒ，４４１Ｇ，４４１Ｂと、光学変換板４４３（図６では図示省略）とが設けられている。また、クロスダイクロイックプリズム４４４は、プリズム台座４４５に載置され、クロスダイクロイックプリズム４４４の上面には、別の台座としての放熱ブロック４４６が載置されている。このように、光学装置４４は、これらを含めたユニットとして構成されている。
【００５５】
以下、光学装置４４の構造を、図７〜図１０に基づいて説明する。なお、これら図７〜図１０中に示した矢印Ｘ，Ｙ，Ｚは、それぞれ同一方向を示している。具体的には、Ｚ軸方向は照明光軸方向を示し、Ｘ軸方向は幅方向を示し、Ｙ軸方向は高さ方向を示している。
図７に示すように、クロスダイクロイックプリズム４４４の赤色光入射面には、クロスダイクロイックプリズム４４４に近接する方から順に、第１光学変換板４４３Ａと、熱伝導性の保持部材４４８と、第２光学変換板４４３Ｂと、光変調装置４４１Ｒとが配置されている。
【００５６】
第１光学変換板４４３Ａは、クロスダイクロイックプリズム４４４の光束入射面に、該第１光学変換板４４３Ａの基板４４３Ａ１の光学軸が、幅方向（Ｘ軸方向）を向くように熱伝導性接着剤等により接着固定される。この第１光学変換板４４３Ａの外形寸法は、クロスダイクロイックプリズム４４４の光束入射面の寸法と略同一に形成されている。この第１光学変換板４４３Ａは、保持部材４４８に形成された開口部４４８Ａ１（図８参照）に嵌合され、該開口部４４８Ａ１から露出する。
【００５７】
図８には、保持部材４４８の斜視図が示されている。
保持部材４４８は、図７および図８に示すように、照明光軸方向（Ｚ軸方向）から見て略矩形を有し、アルミニウム等の金属平板を板金加工して形成されている。この保持部材４４８は、図９に示すように、略矩形の板状部４４８Ａと、この板状部４４８Ａの幅方向（Ｘ軸方向）両端部から面外方向に、それぞれが対向するように起立した側面部４４８Ｂと、これら側面部４４８Ｂの高さ方向（Ｙ軸方向）両端から、互いに近接するように、保持部材４４８の略中央に向かって略垂直に延出する延出部４４８Ｃとを備えている。
【００５８】
板状部４４８Ａの略中央には、略矩形の開口部４４８Ａ１が形成されている。この開口部４４８Ａ１の寸法は、前述の第１光学変換板４４３Ａの基板４４３Ａ１の外形寸法と略同一か、もしくは、若干大きく形成されている。これにより、この開口部４４８Ａ１に第１光学変換板４４３Ａの基板４４３Ａ１が熱伝導可能に嵌合される。なお、この開口部４４８Ａ１に第１光学変換板４４３Ａが嵌合された場合に、第１光学変換板４４３Ａの光束入射側の面と、板状部４４８Ａの光束入射側の面とは、同一平面となるように構成されている。すなわち、板状部４４８Ａに対する第１光学変換板４４３Ａの突出量は、板状部４４８Ａの厚さ方向（Ｚ軸方向）の寸法と略同じとされている。
【００５９】
また、板状部４４８Ａの高さ方向両端部は、貼付部４４８Ａ２，４４８Ａ４が形成されている。これら貼付部４４８Ａ２，４４８Ａ４は、クロスダイクロイックプリズム４４４の上下に配置される放熱ブロック４４６およびプリズム台座４４５に、板状部４４８Ａを熱伝導可能に貼り付ける部分である。これら貼付部４４８Ａ２の上端および貼付部４４８Ａ４の下端の略中央には、開口部４４８Ａ１に向けて、熱間挙動差吸収用の切り欠き４４８Ａ３，４４８Ａ５が形成されている。
【００６０】
側面部４４８Ｂには、それぞれの側面部４４８Ｂが対向する面に、平面視略矩形の突出部４４８Ｂ１が２つずつ形成されている。この突出部４４８Ｂ１は、高さ方向における両端から延出して形成された延出部４４８Ｃよりも中心寄りに形成されている。この突出部４４８Ｂ１の光束入射側の面には、延出部４４８Ｃに取り付けられる第２光学変換板４４３Ｂの光束射出側の面が当接される。これにより、保持部材４４８における第２光学変換板４４３Ｂの照明光軸方向（Ｚ軸方向）の位置決めがされる。
【００６１】
延出部４４８Ｃは、照明光軸方向から保持部材４４８を見た場合の四隅部分にそれぞれ形成されている。
これら延出部４４８Ｃに形成された面のうち、高さ方向（Ｙ軸方向）で互いに対向する面は、第２光学変換板４４３Ｂの基板４４３Ｂ１が取り付けられる基板取付面４４８Ｃ１である。この基板取付面４４８Ｃ１には、第２光学変換板４４３Ｂの基板４４３Ｂ１（図７）の高さ方向端部から起立する面が、熱伝導可能に接着固定される。ここで、板状部４４８Ａの開口部４４８Ａ１に嵌合された第１光学変換板４４３Ａにおける偏光膜４４３Ａ２の偏光軸と、延出部４４８Ｃの基板取付面４４８Ｃ１に嵌合された第２光学変換板４４３Ｂにおける偏光膜４４３Ｂ２の偏光軸とが平行となるように、第２光学変換板４４３Ｂが取り付けられる。また、これら偏光膜４４３Ａ２，４４３Ｂ２の偏光軸は、前述の偏光板４４２における偏光膜の偏光軸と直交するように、光学変換板４４３は配置される。
また、延出部４４８Ｃの光束入射側の面４４８Ｃ２には、光変調装置４４１Ｒ（４４１Ｇ，４４１Ｂ）を位置決めおよび保持するためのピンスペーサ４４９（図７参照）が、熱伝導可能に接着固定される。
【００６２】
このような保持部材４４８によれば、第１光学変換板４４３Ａおよび第２光学変換板４４３Ｂで発生した熱が、該保持部材４４８に伝導され放熱されるので、光学変換板４４３の冷却効率を向上できる。
また、板状部４４８Ａの開口部４４８Ａ１に嵌合される第１光学変換板４４３Ａと、延出部４４８Ｃに保持される第２光学変換板４４３Ｂとの間には、所定の間隔が生じており、また、この空間の幅方向は、保持部材４４８の側面部４４８Ｂによって囲まれる。これによれば、第１光学変換板４４３Ａの光束入射面および第２光学変換板４４３Ｂの光束射出面を冷却する冷却空気の筒状の流路を形成することができる。従って、これら第１光学変換板４４３Ａおよび第２光学変換板４４３Ｂを効果的に冷却することができる。
なお、保持部材４４８は、アルミニウムのほか、電気亜鉛メッキ鋼板等にて構成してもよく、射出成形等による成形により形成される熱伝導率の高い合成樹脂、インバー等の鉄−ニッケル合金、マグネシウム合金、アルミニウム合金等の成形品から構成してもよい。
【００６３】
ピンスペーサ４４９は、図７に示すように、熱伝導性の合成樹脂によって構成された棒状部材である。このピンスペーサ４４９は、前述のように、保持部材４４８に形成された延出部４４８Ｃの光束入射側の面４４８Ｃ２に取り付けられる。また、このピンスペーサ４４９は、光変調装置４４１Ｒ（４４１Ｇ，４４１Ｂ）に形成された孔４４７Ｂ３に挿通され、その先端部に図示しないキャップが取り付けられることにより、該光変調装置４４１を保持する。
なお、ピンスペーサ４４９は、熱伝導性の合成樹脂に限らず、光学ガラス、水晶、サファイア、石英、または蛍石等で構成してもよい。また、アルミニウム、マグネシウムおよびチタン等の金属等に例示される熱伝導率の高い部材で構成してもよい。
【００６４】
光変調装置４４１Ｒは、光変調素子としての液晶パネル４４１Ｒ１と、この液晶パネル４４１Ｒ１を光束入射側および光束射出側から挟持する保持枠４４７とを備えている。なお、説明および図示を省略するが、光変調装置４４１Ｇ，４４１Ｂにおいても、略同じ構成である。
液晶パネル４４１Ｒ１は、前述のように、入射光束を画像情報に応じて変調するものである。この液晶パネル４４１Ｒ１には、上方（Ｙ軸方向）に延出する制御用ケーブル４４１Ｒ２（図６および図７参照）が設けられており、該制御用ケーブル４４１Ｒ２を介して、前述の制御基板５に接続される。
【００６５】
保持枠４４７は、液晶パネル４４１Ｒ１を光束入射側から保持する第１保持枠４４７Ａと、光束射出側から保持する第２保持枠４４７Ｂとから構成されている。
第１保持枠４４７Ａは、照明光軸方向（Ｚ軸方向）から見て略凸型に形成されるとともに、断面略コ字状に形成され、内部に形成された図示しない収納部に、液晶パネル４４１Ｒ１の光束入射側の面を収納する部材である。
この第１保持枠４４７Ａには、略矩形の開口部４４７Ａ１と、フィン４４７Ａ２と、フック４４７Ａ３とが形成されている。
【００６６】
開口部４４７Ａ１は、第１保持枠４４７Ａの略中央に形成されている。この開口部４４７Ａ１の形成位置は、液晶パネル４４１Ｒ１のパネル面に対応しており、この開口部４４７Ａ１から、液晶パネル４４１Ｒ１が露出する。液晶パネル４４１Ｒ１には、前述の色分離光学系で分離した赤色光が開口部４４７Ａ１を介して入射されるので、この部分が画像形成領域となる。
【００６７】
フィン４４７Ａ２は、開口部４４７Ａ１の上方略中央に、該開口部４４７Ａ１から上方に向かって凹状に複数形成されている。このフィン４４７Ａ２は、内部に収納された液晶パネル４４１Ｒ１で発生した熱が、第１保持枠４４７Ａに伝導された際に、空気との接触面積を大きくして、放熱するための部分である。
【００６８】
フック４４７Ａ３は、第１保持枠４４７Ａの光束入射側の面における幅方向（Ｘ軸方向）両端部から、照明光軸方向（Ｚ軸方向）に起立する面の略中央に形成されている。このフック４４７Ａ３には、略中央に凸型の突出部が形成されており、この突出部が第２保持枠４４７Ｂに形成されたフック嵌合部４４７Ｂ２に嵌合される。
【００６９】
第２保持枠４４７Ｂは、平面視略矩形状に形成されている。この第２保持枠４４７Ｂには、開口部４４７Ｂ１と、フック嵌合部４４７Ｂ２と、孔４４７Ｂ３とが形成されている。
開口部４４７Ｂ１は、第１保持枠４４７Ａと同様に、第２保持枠４４７Ｂの略中央で、光変調装置４４１の液晶パネル４４１Ｒ１のパネル面に対応する位置に形成されている。
フック嵌合部４４７Ｂ２は、第２保持枠４４７Ｂの幅方向（Ｘ軸方向）両端部の略中央部から照明光軸方向（Ｚ軸方向）とは反対方向に起立して形成されている。このフック嵌合部４４７Ｂ２の略中央には、矩形状の開口が形成されており、この開口に前述の第１保持枠４４７Ａのフック４４７Ａ３に形成された突出部が嵌合され、第１保持枠４４７Ａおよび第２保持枠４４７Ｂを固定する。
孔４４７Ｂ３は、第２保持枠４４７Ｂの照明光軸方向から見て四隅部分に形成されている。これらの孔４４７Ｂ３は、その内周縁が照明光軸方向（Ｚ軸方向）とは反対方向に向けて突出するように形成されたバーリング孔である。これら孔４４７Ｂ３にピンスペーサ４４９が挿通され、位置調整がされた後に、第２保持枠４４７Ｂは、接着剤等によりピンスペーサ４４９に固定される。
【００７０】
このような光変調装置４４１Ｒにより、液晶パネル４４１Ｒ１で発生した熱が、第１保持枠４４７Ａおよび第２保持枠４４７Ｂから構成される保持枠４４７に伝導される。また、保持枠４４７に伝導された熱は、保持枠４４７で放熱されるとともに、ピンスペーサ４４９を介して保持部材４４８に伝導されて放熱される。これにより、液晶パネル４４１Ｒ１の熱を放熱する面積を拡大することができる。従って、該液晶パネル４４１Ｒ１を効果的に冷却することができ、破損、劣化等を抑えて製品寿命を延ばすことができるとともに、光学像形成の安定化を図ることができる。
なお、光変調装置４４１Ｒと略同様の構成を備える光変調装置４４１Ｇ，４４１Ｂにおいても、光変調装置４４１Ｒと略同様の効果を奏することができる。
【００７１】
なお、前述の保持枠４４７は、成形または板金加工により形成できる。また、その材料としては、熱伝導率の高い部材、例えば、インバーおよび４２Ｎｉ−Ｆｅ等のニッケル−鉄合金、マグネシウム合金、アルミニウム合金、炭素鋼、ステンレス等の金属、または、カーボンファイバー、カーボンナノチューブ等のカーボンフィラーを混入させた樹脂（ポリカーボネート、ポリフェニレンサルファイド、液晶樹脂等）等を採用できる。
【００７２】
図９には、プリズム台座４４５の斜視図が示されている。このうち、図９（Ａ）には、プリズム台座４４５を光束射出側の上方から見た斜視図が示されており、図９（Ｂ）には、プリズム台座４４５を光束入射側の下方から見た斜視図が示されている。
プリズム台座４４５は、前述のように、クロスダイクロイックプリズム４４４を支持するとともに、投写レンズ３を支持する部材である。図７および図９（Ａ）（Ｂ）に示すように、プリズム台座４４５は、幅方向（Ｘ軸方向）から見て略Ｌ字状に形成されている。
【００７３】
プリズム台座４４５には、クロスダイクロイックプリズム４４４が載置される載置部４４５１と、投写レンズ３を支持するレンズ支持部４４５２とが形成されている。
載置部４４５１は、平面視略矩形状を有しており、マグネシウムにより形成されている。この載置部４４５１には、上面に、クロスダイクロイックプリズム４４４が載置される第１載置面４４５１１と、光学変換板４４３の第１光学変換板４４３Ａが載置される第２載置面４４５１２と、保持部材４４８が取り付けられる取付面４４５１３とが形成されている。
【００７４】
第１載置面４４５１１は、載置部４４５１の略中央に略矩形状に形成されている。この第１載置面４４５１１の略中央部分には、平面視略円形状で、中央に向かうにつれて高さ寸法が大きくなる円形状部分（図示省略）が形成されている。この円形状部分にクロスダイクロイックプリズム４４４が載置され、熱伝導性接着剤により固定される。これにより、第１載置面４４５１１にクロスダイクロイックプリズム４４４が載置される際に、該クロスダイクロイックプリズム４４４への入射光束に対する傾きを容易に調整することができる。
【００７５】
第２載置面４４５１２は、載置部４４５１の外縁部分の上面に形成されている。この第２載置面４４５１２には、前述のように、光束射出側（Ｚ軸方向先端側）を除く三方に、第１光学変換板４４３Ａの基板４４３Ａ１の下方の端面が、熱伝導性接着剤等により、熱伝導可能に載置・固定される。
取付面４４５１３は、載置部４４５１の外縁端部から略垂下して形成された面である。この取付面４４５１３には、前述の保持部材４４８の貼付部４４８Ａ４が熱伝導可能に接着固定される。
すなわち、第２載置面４４５１２および取付面４４５１３が形成された載置部４４５１の外縁部分は、本発明の熱伝導性部材に相当する部分であり、本実施形態では、プリズム台座４４５の載置部４４５１に一体的に形成されている。
【００７６】
レンズ支持部４４５２は、載置部４４５１の光束射出側（Ｚ軸方向先端側）から略垂直に起立する部分であり、略矩形状に形成されている。
このレンズ支持部４４５２は、略中央に形成された略円形の開口部４４５２１と、レンズ支持部４４５２の光束射出側の面４４５２Ａに形成された突起部４４５２２および孔４４５２３と、レンズ支持部４４５２の幅方向（Ｘ軸方向）に対向する面から面外方向に突出する突出部４４５２４とを備えている。
【００７７】
開口部４４５２１は、クロスダイクロイックプリズム４４４で合成された光学像が透過する部分であり、また、投写レンズ３の外周部分が接続される部分である。この開口部４４５２１の内径寸法は、投写レンズ３の外径寸法と略一致するように形成されている。
突起部４４５２２および孔４４５２３は、投写レンズ３に形成されたフランジ部３Ｃ（図７参照）と係合して、投写レンズ３を位置決め固定する部分である。このうち、突起部４４５２２は、面４４５２Ａから面外方向に突出して形成され、投写レンズ３のフランジ部３Ｃに形成された図示しない孔に嵌合する。また、孔４４５２３は、レンズ支持部４４５２を貫通するように形成されており、フランジ部３Ｃに形成された図示しない突起が嵌合される。
突出部４４５２４は、レンズ支持部４４５２の幅方向に対向するそれぞれの側面の上方に形成されている。この突出部４４５２４は、光束射出側から見て、略三角形状を有し、下面に突起部４４５３が形成されている。これら突起部４４５３は、ロアーケース２２に形成された図示しない凹部に嵌合され、プリズム台座４４５を固定する。なお、このような突起部４４５３は、前述の載置部４４５１の底面にも形成されている。
【００７８】
このようなプリズム台座４４５の材料としては、マグネシウムだけでなく、熱伝導性の高いアルミニウム等の金属で形成してもよく、また、熱伝導性の合成樹脂および単結晶ガラス等により形成してもよい。
【００７９】
図１０には、放熱ブロック４４６の斜視図が示されている。このうち、図１２（Ａ）には、放熱ブロック４４６を光束入射側の上方から見た斜視図が示されており、図１２（Ｂ）には、光束入射側の下方から見た斜視図が示されている。
放熱ブロック４４６は、第１光学変換板４４３Ａの熱、および、保持部材４４８を介して伝導される熱を放熱して冷却する台座である。この放熱ブロック４４６は、前述のように、クロスダイクロイックプリズム４４４の上面に載置される。
【００８０】
放熱ブロック４４６は、平面視略矩形で、上方（Ｙ軸方向）に向かって外形寸法が小さくなるように傾斜した台形形状に形成されたマグネシウム製部材である。この放熱ブロック４４６の底面の寸法は、クロスダイクロイックプリズム４４４の上面の寸法より大きく形成されている。
なお、放熱ブロック４４６は、マグネシウム以外にも、前述の保持枠４４７で例示した材料を採用することができる。
【００８１】
放熱ブロック４４６には、図１０（Ａ）（Ｂ）に示すように、複数の略円錐台形状の突出部４４６１と、第１当接面４４６２と、第２当接面４４６３と、取付面４４６４とが形成されている。
突出部４４６１は、放熱ブロック４４６に伝導された熱の放熱面積を広げるための放熱用のフィンであり、本実施形態では１６個形成されている。これら突出部４４６１は、放熱ブロック４４６の上面から面外方向に突出して形成されている。これらの突出部４４６１は、互いに近接する突出部４４６１間の距離が、３ｍｍ以上とされ、本実施形態では、およそ３．７ｍｍとされている。これにより、突出部４４６１間の空気の通風性を良くして、突出部４４６１に伝導された熱を迅速に冷却することができる。なお、突出部４４６１の数は、１６個より多くても少なくてもよい。
取付面４４６４は、放熱ブロック４４６の上面から略垂下する光束入射側の面であり、前述の保持部材４４８の貼付部４４８Ａ２が熱伝導可能に接着固定される。すなわち、放熱ブロック４４６は、保持部材４４８を支持する台座としても機能する。
【００８２】
第１当接面４４６２および第２当接面４４６３は、放熱ブロック４４６の底面に形成されている。この底面は、図１２（Ｂ）に示すように、内側に凹んだ形状を有し、この凹部に第１当接面４４６２が形成され、底面の外縁部分のうちの光束入射側の三面に第２当接面４４６３が形成されている。
第１当接面４４６２は、クロスダイクロイックプリズム４４４の上面が当接される面である。この第１当接面４４６２の光束射出方向（Ｚ軸方向）先端部には高さ方向（Ｙ軸方向）に凹んだ凹部４４６２Ａが形成されている。この凹部４４６２Ａは、放熱ブロック４４６をクロスダイクロイックプリズム４４４の上面に載置・固定する際に塗布される熱伝導性接着剤が、クロスダイクロイックプリズム４４４の光束入射面および光束射出面に漏出しないための接着剤溜まりである。
第２当接面４４６３は、熱伝導性接着剤等により、第１光学変換板４４３Ａの上方の端面に、熱伝導可能に当接・固定される。この第２当接面４４６３およびプリズム台座４４５に形成された第２載置面４４５１２により、第１光学変換板４４３Ａの基板４４３Ａ１は、上下方向から挟持される。
【００８３】
これら第２当接面４４６３および取付面４４６４が形成された放熱ブロック４４６の外縁部分は、本発明の熱伝導性部材に相当する部分であり、本実施形態では、放熱ブロック４４６に一体的に形成されている。
【００８４】
このようなプリズム台座４４５および放熱ブロック４４６によれば、クロスダイクロイックプリズム４４４および第１光学変換板４４３Ａで発生して熱が伝導されて放熱されるほか、保持部材４４８およびピンスペーサ４４９を介して、第２光学変換板４４３Ｂおよび光変調装置４４１Ｒ（４４１Ｇ，４４１Ｂ）の熱が伝導されて放熱されるので、これらの光学部品の熱を効率よく冷却することができる。
【００８５】
以下に、光学装置４４の組み立てについて説明する。
クロスダイクロイックプリズム４４４の３つの光束入射面に、光学変換板４４３のうち、第１光学変換板４４３Ａを熱伝導性の接着剤等により貼り付ける。
この後、クロスダイクロイックプリズム４４４の底面および第１光学変換板４４３Ａの下面が、プリズム台座４４５（図８および図１１）の第１載置面４４５１１および第２載置面４４５１２に当接されるように、プリズム台座４４５の載置部４４５１に、クロスダイクロイックプリズム４４４および第１光学変換板４４３Ａを載置する。
また、クロスダイクロイックプリズム４４４の上面および第１光学変換板４４３Ａの上面に、放熱ブロック４４６（図８および図１２）の第１当接面４４６２および第２当接面４４６３が当接するように、放熱ブロック４４６を載置する。
【００８６】
次に、プリズム台座４４５および放熱ブロック４４６に取り付ける保持部材４４８に、第２光学変換板４４３Ｂを取り付ける。第２光学変換板４４３Ｂは、保持部材４４８に形成された延出部４４８Ｃの基板取付面４４８Ｃ１に取り付けられる。
この後、第２光学変換板４４３Ｂを保持する保持部材４４８（図９）を、プリズム台座４４５および放熱ブロック４４６に取り付ける。保持部材４４８は、該保持部材４４８の貼付部４４８Ａ２が放熱ブロック４４６の取付面４４６４に当接されるように、かつ、貼付部４４８Ａ４がプリズム台座４４５の取付面４４５１３に当接されるように、保持部材４４８を熱伝導性接着剤等により固定する。また、保持部材４４８は、該保持部材４４８に形成された開口部４４８Ａ１に、第１光学変換板４４３Ａの基板４４３Ａ１が嵌合されるように配置され、第１光学変換板４４３Ａおよび第２光学変換板４４３Ｂの偏光軸が、前述の関係となるように配置される。
【００８７】
次に、光変調装置４４１Ｒ（４４１Ｇ，４４１Ｂ）を、保持部材４４８に、ピンスペーサ４４９を介して取り付ける。ピンスペーサ４４９は、保持部材４４８の光束入射側の面４４８Ｃ２に、面外方向に突出するように、熱伝導性接着剤により接着固定される。このピンスペーサ４４９を、光変調装置４４１Ｒ（４４１Ｇ，４４１Ｂ）の第２保持枠４４７Ｂに形成された孔４４７Ｂ３に挿通させるようにして、光変調装置４４１Ｒ（４４１Ｇ，４４１Ｂ）を取り付け、ピンスペーサ４４９の先端に図示しないキャップを取り付ける。この際、光変調装置４４１Ｒ（４４１Ｇ，４４１Ｂ）と、光路上後段に位置する第２光学変換板４４３Ｂとの距離の調整、および、光変調装置４４１Ｒ（４４１Ｇ，４４１Ｂ）から射出される光束の光軸と第２光学変換板４４３Ｂに入射する光束の光軸との調整等は、適宜行う。
以上のようにして、光学装置４４がユニットとして形成される。
なお、ピンスペーサ４４９は、保持部材４４８に対する別部材として形成したが、保持部材４４８に一体的に形成してもよい。
【００８８】
図１１には、光学装置４４で発生した熱の伝導経路を示す模式図が示されている。
このような光学装置４４に配置された第１光学変換板４４３Ａ，第２光学変換板４４３Ｂおよび光変調装置４４１で発生した熱は、以下のように伝導されて放熱される。
第１光学変換板４４３Ａで発生した熱は、図１１中矢印Ｕ１，Ｌ１で示すように、該第１光学変換板４４３Ａが取り付けられるクロスダイクロイックプリズム４４４を介して、該クロスダイクロイックプリズム４４４に熱伝導可能に接触する放熱ブロック４４６およびプリズム台座４４５に伝導される（第１の経路）。
また、第１光学変換板４４３Ａは、放熱ブロック４４６の第１当接面４４３およびプリズム台座４４５の第１載置面４４５１２に、熱伝導可能に接触する。このため、第１光学変換板４４３Ａの熱は、矢印Ｕ２，Ｌ２に示すように、第１光学変換板４４３Ａの上面および下面から、放熱ブロック４４６およびプリズム台座４４５に直接伝導される（第２の経路）。
さらに、第１光学変換板４４３Ａは、保持部材４４８の開口部４４８Ａ１に熱伝導可能に接触しているので、第１光学変換板４４３Ａの熱は、矢印Ｕ３，Ｌ３で示すように、保持部材４４８に伝導される。この保持部材４４８は、放熱ブロック４４６およびプリズム台座４４５に取り付けられているので、保持部材４４８に伝導された熱は、矢印Ｕ４，Ｌ４に示すように、放熱ブロック４４６およびプリズム台座４４５に伝導される。すなわち、第１光学変換板４４３Ａの熱は、該保持部材４４８を介して、放熱ブロック４４６およびプリズム台座４４５に伝導される（第３の経路）。
【００８９】
従って、第１光学変換板４４３Ａの熱は、これら第１〜第３の経路を通って、直接またはクロスダイクロイックプリズム４４４および保持部材４４８を介して、放熱ブロック４４６およびプリズム台座４４５に伝導されるので、第１光学変換板４４３Ａの熱を分散させて放熱することができる。また、これにより、これら部品４４４，４４５，４４６，４４８のいずれかが高温となっても、他の経路を通って、熱の伝導および放熱が行われるので、第１光学変換板４４３Ａの冷却を確実に行うことができる。従って、第１光学変換板の冷却効率を向上することができ、製品寿命の延長および光学像形成の安定化を図ることができる。
【００９０】
第２光学変換板４４３Ｂは、保持部材４４８に保持されており、第２光学変換板４４３Ｂで発生した熱は、図１１中矢印Ｕ５，Ｌ５で示すように、該保持部材４４８に伝導される。この保持部材４４８に伝導された第２光学変換板４４３Ｂの熱は、矢印Ｕ４，Ｌ４に示すように、放熱ブロック４４６およびプリズム台座４４５に伝導・放熱される。
従って、第２光学変換板４４３Ｂで発生した熱の放熱面積を拡大できるので、該第２光学変換板４４３Ｂの冷却効率を向上することができる。
【００９１】
光変調装置４４１（４４１Ｒ，４４１Ｇ，４４１Ｂ）の内部に収納された液晶パネル４４１Ｒ１，４４１Ｇ１，４４１Ｂ１で発生した熱は、この液晶パネル４４１Ｒ１，４４１Ｇ１，４４１Ｂ１を保持する保持枠４４７に伝導される。この保持枠４４７を構成する第１保持枠４４７Ａおよび第２保持枠４４７Ｂのうち、第２保持枠４４７Ｂは、ピンスペーサ４４９を介して保持部材４４８に取り付けられている。このピンスペーサ４４９は、前述のように、熱伝導性の合成樹脂により形成されているので、光変調装置４４１の熱は、図１１中矢印Ｕ６，Ｌ６に示すように、ピンスペーサ４４９を介して保持部材４４８に伝導される。さらに、保持部材４４８に伝導された熱は、矢印Ｕ４，Ｌ４に示すように、放熱ブロック４４６およびプリズム台座４４５に伝導される。
従って、光変調装置４４１の熱を、ピンスペーサ４４９および保持部材４４８を介して、放熱ブロック４４６およびプリズム台座４４５に伝導されるので、放熱面積を拡大でき、光変調装置４４１を効果的に冷却することができる。
【００９２】
（４）光学装置４４の冷却流路
図１２には、光学装置４４に冷却空気を送風するダクト７３を下方からみた斜視図が示されている。また、図１３には、ダクト７３および導風板７４を上方から見た斜視図が示されている。
前述のように、冷却ユニット７を構成するダクト７３および７４は、シロッコファン７１，７２から送風されたプロジェクタ１外部の空気を、光学装置４４に送風する流路を形成する。これらダクト７３および導風板７４は、光学装置４４の下方に配置される。
【００９３】
ダクト７３は、図１２および図１３に示すように、平面視略コ字状に形成された合成樹脂製部材である。このダクト７３には、コ字状先端部分に開口部７３１，７３２と、内部に複数のリブ７３Ａ，７３Ｂ，７３Ｃが形成されている。
開口部７３１，７３２は、前述のシロッコファン７１，７２の送風口と連接される。
リブ７３Ａ，７３Ｂ，７３Ｃは、ダクト７３を補強するとともに、開口部７３１，７３２から送風された冷却空気を分流させる部分である。
このうち、リブ７３Ａは、図１３に示すように、開口部７３１から流通する冷却空気を、光学装置４４の光変調装置４４１Ｇの下方に流通させ、光変調装置４４１Ｂ，４４１Ｒの下方に流通しないように分流させている。
逆に、リブ７３Ｂは、開口部７３２から流通する冷却空気を、光変調装置４４１Ｂ，４４１Ｒの下方、および、光変調装置４４１Ｇ近傍から前述の部品収納部材４０１内に導風させ、光変調装置４４１Ｇの下方に流通しないように分流させている。
リブ７３Ｃは、リブ７３Ａにより光変調装置４４１Ｇ下方に流通される空気を、光変調装置４４１Ｇの下方および該光変調装置４４１Ｇの後段に配置された光学変換板４４３の下方に流通させるように分流する。
【００９４】
導風板７４は、合成樹脂製の一体成形品として形成されている。この導風板７４は、ダクト７３の上方に配置され、該導風板７４の上方には、光学装置４４のプリズム台座４４５が載置される。なお、合成樹脂によらず、アルミニウム、マグネシウムおよびチタン等の金属によって成形してもよい。このように熱伝導性の材料で導風板７４を形成することにより、導風板７４の上方に載置されるプリズム台座４４５から、光学装置４４で発生した熱が伝導されるので、光学装置４４を構成する光学部品の冷却効率を一層向上することができる。
導風板７４には、それぞれ開口７４Ｒ１，７４Ｇ１，７４Ｂ１，７４Ａ１を有する導風部７４Ｂ，７４Ｇ，７４Ｒ，７４Ａが形成されている。このうち、導風部７４Ｒ，７４Ｇ，７４Ｂは、それぞれ光変調装置４４１Ｒ，４４１Ｇ，４４１Ｂに対応する位置に形成されている。また、導風部７４Ａは、導風部７４Ｇから導風部７４Ｂ寄りの位置に形成されている。
【００９５】
導風部７４Ｒ，７４Ｇ，７４Ｂは、ダクト７３内を流通する冷却空気を、光学装置４４の光変調装置４４１Ｒ，４４１Ｇ，４４１Ｂおよび光学変換板４４３に導風する部分である。
このうち、導風部７４Ｂは、開口部７４Ｂ１のほかに、該開口部７４Ｂ１の周囲を囲むように上方に突出する上部導風部７４Ｂ２と、下方に延出する下部導風部７４Ｂ３，７４Ｂ４とを備えている。
【００９６】
下部導風部７４Ｂ３，７４Ｂ４は、開口部７３２からダクト７３内を流通する冷却空気の流通方向に対向する方向に開口する略コ字状に延出して形成されている。
下部導風部７４Ｂ３は、開口部７４Ｂ１を２つの開口７４Ｂ１１，７４Ｂ１２に分け、開口７４Ｂ１１を介して光変調装置４４１Ｂに冷却空気を導風する。この下部導風部７４Ｂ３により分けられた開口７４Ｂ１１，７４Ｂ１２は、それぞれ、光変調装置４４１Ｂの光束入射側および光束射出側の下方に位置する。
下部導風部７４Ｂ４は、開口部７４Ｂ１の端部から、断面コ字状に下方に延出して形成され、開口７４Ｂ１２を介して光学変換板４４３に冷却空気を導風する。この下部導風部７４Ｂ４の下方への延出量は、下部導風部７４Ｂ３の延出量よりも大きいとされている。これにより、ダクト７３の開口部７３２に対して、下部導風部７４Ｂ３より遠方に形成された下部導風部７４Ｂ４においても、確実に光学変換板４４３に冷却空気を導風することができる。
【００９７】
導風部７４Ｒは、導風部７４Ｂと同様に、開口部７４Ｒ１を囲むように起立する上部導風部７４Ｒ２と、光学変換板４４３に導風する下部導風部７４Ｒ４とが形成されている。また、開口部７４Ｒ１は、下部導風部７４Ｒ４により、光変調装置４４１Ｒの下方に冷却空気を導風する開口７４Ｒ１２と、光学変換板４４３の下方に冷却空気を導風する開口７４Ｒ１１とに分けられる。
また、導風部７４Ｒは、導風部７４Ｂとは異なり、光変調装置４４１Ｒに冷却空気を導風する下部導風部は形成されていない。これは、開口部７３２からダクト７３内を流通する冷却空気が、下部導風部７４Ｒ４を通過した場合、リブ７３Ａによって、ダクト７３内の流路が遮られる。このため、冷却空気は、導風部７４Ｒの開口部７４Ｒ１に流れることとなり、光変調装置４４１Ｒに自然に導風されるためである。なお、ダクト７３の形状および冷却空気の流通量等により、導風部７４Ｂの下部導風部７４Ｂ３と同様の下部導風部を設けてもよい。
【００９８】
導風部７４Ｇは、開口部７４Ｇ１と、この開口部７４Ｇ１の周囲から起立する平面視略Ｅ字状の上部導風部７４Ｇ２により構成されている。このうち、開口部７４Ｇ１は、上部導風部７４Ｇ２によって、光変調装置４４１Ｇの下方に冷却空気を導風する開口７４Ｇ１１と、光学変換板４４３の下方に冷却空気を導風する開口７４Ｇ１２とに分けられる。
この導風部７４Ｇには、下部導風部が形成されていない。この理由として、ダクト７３に形成されたリブ７３Ｃにより、光変調装置４４１Ｇに導風される冷却空気と、光学変換板に導風される冷却空気とに分流されることが挙げられる。また、リブ７３Ａによりダクト７３内の冷却流路が遮断されており、開口部７３１から流通する冷却空気は、送風圧によりダクト７３内の流路先端で、開口部７４Ｇ１から排出されることが挙げられる。このため、冷却空気は、下部導風部が形成されていなくても、導風部７４Ｇの開口部７４Ｇ１を介して、光変調装置４４１Ｇおよび光学変換板４４３に導風される。
【００９９】
導風部７４Ａは、開口部７３２からダクト７３内を流通し、リブ７３Ｂで分流された冷却空気を、部品収納部材４０１内に導風する部分である。この導風部７４Ａは、略矩形の開口部７４Ａ１と、この開口部７４Ａ１の周囲から起立した平面視略コ字状の上部導風部７４Ａ２から構成されている。ここで、下部導風部が形成されていないのは、導風部７４Ｇの場合と同様に、リブ７３Ｂにより冷却空気の流路が規定されていることに起因している。
なお、これら導風部７４Ｇ，７４Ａにおいても、冷却空気の流路および流通量に応じて、下部導風部を設けてもよい。
【０１００】
以下に、光学装置４４を冷却する冷却空気の流路を説明する。
図１２および図１３に示すように、シロッコファン７１，７２から送風された冷却空気は、ダクト７３および導風板７４を介して、それぞれの光変調装置４４１Ｒ，４４１Ｇ，４４１Ｂおよびこれらの後段に配置される光学変換板４４３の下方に送風される。ここで、前述のように、シロッコファン７１から送風され、開口部７３１からダクト７３内を流通する冷却空気は、導風板７４に形成された導風部７４Ｇの開口７４Ｇ１１，７４Ｇ１２を介して、光変調装置４４１Ｇおよび光学変換板４４３に導風される。また、シロッコファン７２から送風され、開口部７３２からダクト７３内を流通する冷却空気は、リブ７３Ｂで分流され、一方は、導風部７４Ｂ，７４Ｒの開口７４Ｂ１１，７４Ｂ１２，７４Ｒ１１，７４Ｒ１２を介して、光変調装置４４１Ｂ，４４１Ｒおよび該光変調装置４４１Ｂ，４４１Ｒの後段に配置された光学変換板４４３に導風され、他方は、導風部７４Ａの開口部７４Ａ１を介して、部品収納部材４０１内に導風される。
【０１０１】
図１４には、光学装置４４を冷却する冷却空気の流路を示す模式図である。なお、この図１４では、光学装置４４の各色光が入射する入射面を冷却する冷却流路のうち、赤色光入射面の冷却流路を示しているが、緑色光入射面および青色光入射面の冷却流路も略同じであるので、説明および図示を省略する。
シロッコファン７２（図３および図４参照）から送風された冷却空気は、開口部７３２（図１２および図１３参照）を介してダクト７３内を流通する。この冷却空気のうち、光学装置４４の下方を流通する冷却空気は、二方向に分流される。詳述すると、図１４に示すように、冷却空気は、導風板７４の導風部７４Ｒに形成された下部導風部７４Ｒ３によって開口７４Ｒ１１に導風される矢印Ａ１方向と、ダクト７３のリブ７３Ａによって開口７４Ｒ１２に導風される矢印Ｂ１方向とに分流される。
【０１０２】
矢印Ａ１方向に導風された冷却空気は、開口７４Ｒ１１を通過して、光変調装置４４１Ｒの光束入射側に向かって矢印Ａ２方向に流れ、光変調装置４４１Ｒに沿って上昇し、該光変調装置４４１Ｒの内部に収納された液晶パネル４４１Ｒ１の熱が伝導された第１保持枠４４７Ａの光束入射側の面を冷却する。この第１保持枠４４７Ａを冷却した冷却空気は、熱せられてさらに上昇し、矢印Ａ３方向に流れる。
【０１０３】
矢印Ｂ１方向に導風された冷却空気は、開口７４Ｂ１２を通過した後、矢印Ｂ２１方向と、矢印Ｂ２２方向とに分流される。
このうち、矢印Ｂ２１方向に流通する冷却空気は、光変調装置４４１Ｒの光束射出側の面と、第２光学変換板４４３Ｂの光束入射側の面との間を流通する。この際、この冷却空気は、光変調装置４４１の液晶パネル４４１Ｒ１の熱が伝導された第２保持枠４４７Ｂの光束射出側の面と、第２光学変換板４４３Ｂおよび保持部材４４８の光束入射側の面とを冷却しつつ、これらに沿って上昇し、矢印Ｂ３方向に流通する。
【０１０４】
矢印Ｂ２２方向に流通する冷却空気は、保持部材４４８内部を流通する。すなわち、保持部材４４８の板状部４４８Ａ，側面部４４８Ｂおよび延出部４４８Ｃによって囲まれた空間内を流通する。この際、この冷却空気は、プリズム台座４４５を冷却したのち、保持部材４４８内部を流通して、第１光学変換板４４３Ａの光束入射側の面、第２光学変換板４４３Ｂの光束射出側の面、および保持部材４４８を冷却する。これら光学部品４４３，４４５，４４８を冷却した冷却空気は、放熱ブロック４４６を冷却しつつ上昇し、矢印Ｂ３方向に流通する。
【０１０５】
ここで、前述のように、第１光学変換板４４３Ａの光束入射面と、保持部材４４８の板状部４４８Ａの光束入射側の面は、同一平面となっている。これにより、Ｂ２２方向に流通する空気は、保持部材４４８の板状部４４８Ａおよび第１光学変換板４４３Ａの光束入射側の面に沿って、滞りなく流通させることができる。従って、冷却空気の通風性を向上でき、Ｂ２２方向に流通する冷却空気により、第１光学変換板４４３Ａ、第２光学変換板４４３Ｂおよび保持部材４４８を効果的に冷却することができる。
【０１０６】
Ａ３方向およびＢ３方向に流れた空気は、制御基板５に沿って流通して、排気ファン７５に吸引される。この際、クロスダイクロイックプリズム４４４の赤色光入射面側に配置された光変調装置４４１Ｒおよび光学変換板４４３を冷却した空気は、放熱ブロック４４６に複数形成された突出部４４６１間を流通し、これら突出部４４６１を冷却する。
ここで、良好な光学像の形成には、緑色光の強度を最も高くし、赤色光の強度を最も低くする場合がある。このような場合に、赤色光が入射する光変調装置４４１Ｒおよび光学変換板４４３は、緑色光および青色光が入射する光変調装置４４１Ｇ，４４１Ｂおよび光学変換板４４３よりも温度上昇が少ない。このため、これら光変調装置４４１Ｒおよび光学変換板４４３を冷却する冷却空気は、他の光変調装置４４１Ｇ，４４１Ｂおよび光学変換板４４３を冷却する冷却空気よりも温度上昇が少なくて済む。
従って、赤色光入射面側を流通する冷却空気を放熱ブロック４４６の突出部４４６１間を流通させることにより、放熱ブロック４４６の冷却を効果的に行うことができる。また、放熱ブロック４４６の突出部４４６１は、その間隔を３ｍｍ以上あけて形成されているので、突出部４４６１間を流通する空気の通風性が良くなり、冷却空気による冷却をしやすくすることができる。従って、放熱ブロック４４６を効果的に冷却することができ、この放熱ブロック４４６に伝導される光変調装置４４１および光学変換板４４３の熱を、一層効率良く冷却することができる。
【０１０７】
このような冷却流路により、光変調装置４４１および光学変換板４４３で発生した熱を直接冷却するとともに、これらの熱が伝導されたプリズム台座４４５、放熱ブロック４４６および保持部材４４８を冷却することができるので、光変調装置４４１および光学変換板４４３の冷却効率が向上し、これらの熱劣化等を抑えて製品寿命を延ばすことができるほか、光学像形成を一層安定化させることができる。
【０１０８】
また、光変調装置４４１Ｂおよび光学変換板４４３を冷却する冷却空気は、これら光変調装置４４１Ｂおよび光学変換板４４３の下方から送風される。これによれば、冷却空気は、熱を帯びて上昇し、上昇気流を発生させることができる。これによれば、冷却流路内の冷却空気を停滞させることなく一層円滑に流通させることができ、また、冷却流路の空気の流通量を増大させることができる。従って、これら光変調装置４４１、光学変換板４４３、プリズム台座４４５、放熱ブロック４４６および保持部材４４８を一層効率良く冷却することができる。
【０１０９】
さらに、光学装置４４の冷却効率が向上したことにより、これらを冷却する冷却空気を送風するシロッコファン７１，７２の送風量を低減することができる。これにより、シロッコファン７１，７２に大型のファンを採用する必要がなくなるとともに、小型のファンを用いて高回転で駆動させる必要がなくなる。従って、プロジェクタ１の小型化および低騒音化を実現することができる。
【０１１０】
〔２．第２実施形態〕
次に、本発明の第２実施形態に係る光学装置について説明する。第２実施形態の光学装置は、前述の第１実施形態の光学装置に比べて、放熱部材の構造および配置において相違点を有する。なお、以下の説明では、既に説明した部分と同一または略同一である部分については、同一の符号を付して説明を省略する。
【０１１１】
図１５には、本発明の第２実施形態に係る光学装置４４Ａの分解斜視図が示されている。なお、図１５では、説明を簡略化するために、赤色光が入射する光束入射面の構成のみを示し、他の光束入射面については説明および図示を省略するが、緑色光が入射する光束入射面および青色光が入射する光束入射面においても略同様の構成を備えている。
光学装置４４Ａは、前述の光学装置４４と同様に、クロスダイクロイックプリズム４４４を備え、該クロスダイクロイックプリズム４４４の各光束入射面の側に、それぞれ光学変換板４４３および光変調装置４４１が配置される。
また、光学装置４４Ａは、光学装置４４と異なり、板状部材８３を備え、クロスダイクロイックプリズム４４４が載置されるプリズム台座４４５の代わりにプリズム台座８１が、放熱ブロック４４６の代わりに放熱ブロック８２を、また、第２光学変換板４４３Ｂを保持する保持部材４４８の代わりに熱伝導性の保持部材８４を備えている。
【０１１２】
図１６には、プリズム台座８１を光束入射側の下方から見た斜視図が示されている。
プリズム台座８１は、前述のプリズム台座４４５と同様に、クロスダイクロイックプリズム４４４および投写レンズ３を支持する部材である。このプリズム台座８１は、図１６に示すように、クロスダイクロイックプリズム４４４が載置される載置部８１１と、投写レンズ３を支持するレンズ支持部８１２とを備え、側面視略Ｌ字状に形成されている。
なお、プリズム台座８１は、プリズム台座４４５と略同じ材料で構成することができる。
【０１１３】
載置部８１１の寸法は、クロスダイクロイックプリズム４４４の底面の寸法と略一致するように形成されている点で、プリズム台座４４５の載置部４４５１と異なる。
この載置部８１１の上面には、クロスダイクロイックプリズム４４４が熱伝導性接着剤で固定される載置面８１１１が形成され、光束入射側の側面には、熱伝導性部材としての板状部材８３Ａが取り付けられる取付面８１１２が形成されている。
【０１１４】
載置面８１１１の略中央には、図示を略すが、プリズム台座４４５の第１載置面４４５１１と同様に、平面視略円形状で、中央に向かうにつれて高さ寸法が大きくなる円形状部分が形成されており、この円形状部分にクロスダイクロイックプリズム４４４が載置される。これにより、クロスダイクロイックプリズム４４４への入射光束に対する傾き調整を容易に行うことができる。
【０１１５】
取付面８１１２の幅方向略中央には、前述のように、板状部材８３Ａが取り付けられる。
この板状部材８３Ａは、平面視略長方形状を有しており、その長手方向が取付面８１１２の形成方向と略平行となるように取り付けられる。すなわち、第１光学変換板４４３Ａの基板４４３Ａ１の端面に沿って、取付面８１１２から突出するように取り付けられる。この板状部材８３Ａの上面には、第１光学変換板４４３Ａの下方の端面が熱伝導可能に当接される。これにより、第１光学変換板４４３Ａで発生した熱をプリズム台座８１に伝導させることができる。従って、第１光学変換板４４３Ａの熱の放熱面積を拡大でき、第１光学変換板４４３Ａを効果的に冷却することができる。
なお、板状部材８３Ａは、本実施形態では、水晶により形成したが、他の熱伝導可能な材料によって形成してもよい。例えば、アクリル材、カーボンフィラー入りのポリカーボネート、ポリフェニレンサルファイド、液晶樹脂等の樹脂、および、アルミニウム、マグネシウム、チタン等の金属、これらを主材料とした合金等から選択して形成してもよい。
【０１１６】
レンズ支持部８１２は、略矩形状に形成され、中央に略円形状に形成された開口部８１２１と、突起部８１２２および孔８１２３とが形成されている。
開口部８１２１の内径寸法は、投写レンズ３の外形寸法と略一致するように形成され、投写レンズ３の光束入射側の外周部分が当接される。
突起部８１２２は、レンズ支持部８１２の光束射出側の面に面外方向に突出するように、高さ方向（Ｙ軸方向）略中央で、幅方向（Ｘ軸方向）両端部に、それぞれ１つずつ形成されている。また、孔８１２３は、レンズ支持部８１２の高さ方向（Ｙ軸方向）略中央で幅方向両端部に１つずつと、下方端部の幅方向両端部に１つずつ、レンズ支持部を貫通するように合計４つ形成されている。これら突起部８１２２および孔８１２３は、投写レンズ３のフランジ部３Ｃ（図６参照）に形成された図示しない孔および突起と嵌合し、該投写レンズ３を支持する。
【０１１７】
放熱ブロック８２は、図１５に示すように、前述の放熱ブロック４４６と同じ材料で形成され、かつ、略同じ形状を有している。この放熱ブロック８２には、突出部８２１と、当接面８２２と、取付面８２３とが形成されている。
突出部８２１は、前述の放熱ブロック４４６の突出部４４６１と同様に、略円錐台形状に１６個形成されている。この突出部８２１の形成間隔は、約３．７ｍｍとされ、これら突出部８２１間を流通する空気の通風性を良くしている。
当接面８２２は、クロスダイクロイックプリズム４４４の上面が当接される部分であり、放熱ブロック８２の底面に形成されている。この当接面８２２には、図示を略すが、投写側に、接着剤溜まりの凹部が形成されている。また、この当接面８２２には、放熱ブロック４４６に形成され、第１光学変換板４４３Ａに当接される第２当接面４４６３に相当する部分が形成されていない。すなわち、当接面８２２の寸法は、クロスダイクロイックプリズム４４４の上面の寸法と略同じとされている。
【０１１８】
取付面８２３には、前述の板状部材８３Ａと同様に形成された熱伝導性部材としての平面視略長方形状の板状部材８３Ｂが取り付けられる。すなわち、放熱ブロック８２は、この板状部材８３Ｂを支持する台座としても機能する。板状部材８３Ｂは、長手方向を取付面８２３の形成方向と略一致するように取り付けられる。すなわち、第１光学変換板４４３Ａの基板４４３Ａ１の端面に沿って、取付面８２３から突出するように取り付けられる。この板状部材８３Ｂの下面には、第１光学変換板４４３Ａの上方の端面が、熱伝導可能に当接される。
これにより、第１光学変換板４４３Ａで発生した熱が、板状部材８３Ｂを介して、放熱ブロック８２に伝導されるので、前述のプリズム台座８１の場合と同様に、第１光学変換板４４３Ａの熱の放熱面積を拡大して、第１光学変換板４４３Ａを効果的に冷却することができる。
【０１１９】
図１７には、保持部材８４の斜視図が示されている。
保持部材８４は、図１５に示すように、第１光学変換板４４３Ａの基板４４３Ａ１に取り付けられる。この保持部材８４は、図１７に示すように、前述の保持部材４４８（図８参照）と略同じ形状を有している。すなわち、保持部材８４は、板状部８４Ａと、この板状部８４Ａの幅方向（Ｘ軸方向）両端部から面外方向（Ｚ軸方向とは反対方向）に起立した側面部８４Ｂと、これら側面部８４Ｂの高さ方向（Ｙ軸方向）両端部から、保持部材８４の略中央に向かって略垂直に延出し、第２光学変換板４４３Ｂを保持する延出部８４Ｃとを備えている。なお、側面部８４Ｂおよび延出部８４Ｃに関しては、保持部材４４８と略同じ構成であるので、説明を省略する。
【０１２０】
板状部８４Ａは、照明光軸方向（Ｚ軸方向）から見て略矩形に形成されている。この板状部８４Ａの略中央には、略矩形の開口部８４Ａ１が形成されている。この開口部８４Ａ１は、第１光学変換板４４３Ａの偏光膜４４３Ａ２と略同じか、あるいは、若干大きく形成されている。すなわち、この開口部８４Ａ１から、第１光学変換板４４３Ａの偏光膜４４３Ａ２が露出する。
また、板状部８４Ａの高さ方向両端部には、貼付部８４Ａ２，８４Ａ４が形成されている。これら貼付部８４Ａ２，８４Ａ４は、第１光学変換板４４３Ａの基板４４３Ａ１と熱伝導可能に接触するとともに、放熱ブロック８２およびプリズム台座８１に取り付けられた板状部材８３Ｂ，８３Ａと熱伝導可能に接触する。
さらに、板状部８４Ａの高さ方向両端部で、かつ、幅方向両端部には、照明光軸方向に向かって延出する延出部８４Ａ３がそれぞれ形成されている。この延出部８４Ａ３は、第１光学変換板４４３Ａの基板４４３Ａ１を上下方向から挟み、保持部材８４を第１光学変換板４４３Ａに取り付けるとともに、該第１光学変換板４４３Ａの熱を保持部材８４に伝導させる部分である。
【０１２１】
図１８には、光学装置４４Ａで発生した熱の伝導経路を示す模式図が示されている。
このような光学装置４４Ａに配置された第１光学変換板４４３Ａ，第２光学変換板４４３Ｂおよび光変調装置４４１で発生した熱は、以下のように伝導されて放熱される。
第１光学変換板４４３Ａで発生した熱は、図１８中矢印ＵＡ１，ＬＡ１で示すように、該第１光学変換板４４３Ａが取り付けられるクロスダイクロイックプリズム４４４を介して、該クロスダイクロイックプリズム４４４に熱伝導可能に接触する放熱ブロック８２およびプリズム台座８１に伝導される（第１の経路）。
また、第１光学変換板４４３Ａの上面および下面は、熱伝導性部材である板状部材８３Ｂ，８３Ａと熱伝導可能に接触し、この板状部材８３Ｂ，８３Ａは、放熱ブロック８２およびプリズム台座８１に取り付けられている。このため、第１光学変換板４４３Ａで発生した熱は、矢印ＵＡ２，ＬＡ２で示すように、第１光学変換板４４３Ａの上面および下面から、板状部材８３Ｂ，８３Ａを介して、放熱ブロック８２およびプリズム台座８１に伝導される（第２の経路）。
さらに、保持部材８４の板状部８４Ａに形成された貼付部８４Ａ２，８４Ａ４は、第１光学変換板４４３Ａの基板４４３Ａ１と熱伝導可能に接触しており、また、板状部８４Ａに形成された延出部８４Ａ３は、第１光学変換板４４３Ａの基板４４３Ａ１を挟み込むように熱伝導可能に接触している。このため、第１光学変換板４４３Ａで発生した熱は、矢印ＵＡ３，ＬＡ３で示すように、保持部材８４に伝導される。この保持部材８４が接触する板状部材８３Ｂ，８３Ａは、放熱ブロック８２およびプリズム台座８１に取り付けられており、保持部材８４に伝導された熱は、矢印ＵＡ４，ＬＡ４に示すように、板状部材８３Ｂ，８３Ａを介して、放熱ブロック８２およびプリズム台座８１に伝導される（第３の経路）。
【０１２２】
従って、第１光学変換板４４３Ａの熱は、これら第１〜第３の経路を通って、クロスダイクロイックプリズム４４４、板状部材８４Ｂ，８３Ａおよび保持部材８４を介して、放熱ブロック８２およびプリズム台座８１に伝導されるので、第１光学変換板４４３Ａの熱を分散させて放熱することができる。また、これにより、これら部品４４４，８１，８２，８３Ａ，８４のいずれかが高温となっても、他の経路を通って、熱の伝導および放熱が行われるので、第１光学変換板４４３Ａの冷却を確実に行うことができる。従って、第１光学変換板の冷却効率を向上することができ、製品寿命の延長および光学像形成の安定化を図ることができる。
【０１２３】
第２光学変換板４４３Ｂは、保持部材８４に保持されており、第２光学変換板４４３Ｂで発生した熱は、図１８中矢印ＵＡ５，ＬＡ５で示すように、該保持部材８４に伝導される。この保持部材８４に伝導された第２光学変換板４４３Ｂの熱は、矢印ＵＡ４，ＬＡ４に示すように、板状部材８３Ｂ，８３Ａを介して、放熱ブロック８２およびプリズム台座８１に伝導・放熱される。
従って、第２光学変換板４４３Ｂで発生した熱の放熱面積を拡大できるので、該第２光学変換板４４３Ｂの冷却効率を向上することができる。
【０１２４】
光変調装置４４１で発生した熱は、該光変調装置４４１の第２保持枠４４７Ｂから、図１８中矢印ＵＡ６，ＬＡ６に示すように、該第２保持枠４４７Ｂが取り付けられるピンスペーサ４４９を介して、保持部材８４に伝導される。この保持部材８４に伝導された熱は、矢印ＵＡ４，ＬＡ４に示すように、板状部材８３Ｂ，８３Ａを介して、放熱ブロック８２およびプリズム台座８１に伝導される。
従って、光変調装置４４１の熱を、ピンスペーサ４４９および保持部材８４を介して、放熱ブロック４４６およびプリズム台座４４５に伝導することにより、放熱面積を拡大でき、光変調装置４４１を効果的に冷却することができる。
【０１２５】
このような光学装置４４Ａにより、前述の光学装置４４と略同様の効果を奏することができる。
すなわち、光変調装置４４１および光学変換板４４３で発生した熱を分散させて放熱することができるので、これら光変調装置４４１および光学変換板４４３の冷却効率を向上することができ、確実に、かつ、安定して、これらを冷却することができる。また、これにより、光変調装置４４１および光学変換板４４３の材質・材厚等を変更して発熱量の均等化を図る必要がなくなるので、光学装置４４Ａの製造工程を簡略化することができる。
【０１２６】
また、このような光学装置４４Ａを備えたプロジェクタ１では、冷却ユニット７から送風される冷却空気は、光変調装置４４１および光学変換板４４３だけでなく、これら光変調装置４４１および光学変換板４４３から発生した熱が伝導されるプリズム台座８１、放熱ブロック８２、板状部材８３、保持部材８４およびピンスペーサ４４９に対しても送風されるので、分散された光変調装置４４１および光学変換板４４３の熱を迅速に、かつ、確実に冷却することができる。従って、光変調装置４４１および光学変換板４４３の冷却効率を向上でき、これらの製品寿命の延長を図ることができる。また、これら光変調装置４４１および光学変換板４４３で発生した熱を分散させて冷却するので、これらの熱の冷却を安定して行うことができ、これら光変調装置４４１および光学変換板４４３を含んで構成される光学装置４４Ａによる光学像形成を安定化させることができる。
【０１２７】
〔３．実施形態の変形〕
なお、本発明は前述の実施形態に限定されるものではなく、本発明の目的を達成できる範囲での変形、改良等は本発明に含まれるものである。
前記各実施形態では、光変調装置４４１および光学変換板４４３の熱を、プリズム台座４４５，８１および放熱ブロック４４６，８２のそれぞれに伝導させるとしたが、プリズム台座４４５，８１および放熱ブロック４４６，８２のどちらかに伝導させるようにしてもよい。なお、プリズム台座４４５，８１および放熱ブロック４４６，８２の両方に伝導させるようにすれば、一方に伝導させる場合に比べ、放熱面積が拡大するので、一層効率の良い冷却を実現できる。
【０１２８】
また、光変調装置４４１で発生した熱は、プリズム台座４４５，８１および放熱ブロック４４６，８２に伝導させず、他の経路で伝導させるように構成してもよい。例えば、光変調装置４４１に部品収納部材４０１に熱伝導可能に接触する放熱部材を取り付けて、該光変調装置４４１の熱を伝導させて放熱するように形成してもよい。
さらに、光変調装置４４１で発生した熱、および、光学変換板４４３で発生した熱のうち、一方をプリズム台座４４５，８１に伝導させ、他方を放熱ブロック４４６，８２に伝導させるようにしてもよい。例えば、偏光光の略半分を吸収し、より発熱しやすい光学変換板４４３で発生した熱を、表面積の広い放熱ブロック４４６，８２に伝導させ、光変調装置４４１で発生した熱をプリズム台座４４５，８１に伝導させるようにしてもよい。
【０１２９】
前記各実施形態では、放熱ブロック４４６，８２に形成された突出部４４６１，８２１は、１６個形成されているとしたが、この数は問わない。また、これら突出部４４６１，８２１の形成間隔は、３ｍｍ以上としたが、３ｍｍ未満であってもよい。なお、３ｍｍ以上とすれば、突出部４４６１，８２１間を流通する冷却空気の通風性が向上するので、放熱ブロック４４６，８２を一層効果的に冷却することができる。
【０１３０】
前記各実施形態では、放熱ブロック４４６，８２には、略円錐台形状の突出部４４６１，８２１が形成され、これにより放熱ブロック４４６，８２の表面積を拡大するとしたが、放熱ブロックに板状のフィンを形成して、このフィンにより表面積を拡大するように構成してもよい。
【０１３１】
前記各実施形態では、クロスダイクロイックプリズム４４４の赤色光入射面に取り付けられる光変調装置４４１Ｒおよび光学変換板４４３を冷却した冷却空気を、放熱ブロック４４６，８２の突出部４４６１，８２１間を流通させるとしたが、他の色光（緑色光、青色光）が入射する光束入射面に取り付けられた光変調装置４４１Ｇ，４４１Ｂおよび光学変換板４４３を冷却した冷却空気を流通させるようにしてもよい。なお、赤色光入射面に入射される赤色光は、他の色光に比べ、光束の強度が高くないため、この赤色光が入射する光変調装置４４１Ｒおよび光学変換板４４３の冷却に供された冷却空気は、他の冷却空気に比べ、温度上昇が小さい。このため、より温度の低い冷却空気により放熱ブロック４４６，８２を冷却することができるので、放熱ブロック４４６，８２の冷却を効果的に行うことができ、ひいては、光変調装置４４１および光学変換板４４３の冷却効率を一層向上することができる。
【０１３２】
前記各実施形態では、クロスダイクロイックプリズム４４４の光束入射面は、それぞれ同じ構成としたが、温度上昇が顕著な光束入射面に限って、前述のような構成を備えた光学装置としてもよい。なお、近年のプロジェクタの高輝度化および小型化が促進されたことにより、プロジェクタ内部は高温化が著しいので、前述の構成をクロスダイクロイックプリズム４４４の各光束入射面に採用して光学装置を製造すれば、光学装置の効率の良い冷却が可能となり、プロジェクタ内部の高温化を抑制することができる。また、これにより、冷却ユニットの小型化および低騒音化を図れ、ひいてはプロジェクタの小型化および低騒音化を図ることができる。
【０１３３】
前記各実施形態では、部材毎に、採用可能な材料を例示したが、これら部材の材料を統一してもよい。すなわち、プリズム台座４４５，８１、放熱ブロック４４６，８２、光変調装置４４１の保持枠４４７、保持部材４４８，８４、ピンスペーサ４４９および板状部材８３を、前述の例示した材料から１つを選択し、この選択した材料により、これら部材４４５，４４６，４４７，４４８，８１，８２，８３，８４を形成してもよい。例えば、アルミニウム、マグネシウム等の金属およびこれらを主材料とした合金等が挙げられる。この場合、熱による寸法変化（膨張、収縮）の量が同じとなるため、機能信頼性が高い。また、これらの部材が熱によって膨張することにより、投写画像の画質に及ぼす影響も軽減することが可能となる。また、このような機能信頼性や、投写画像の画質に及ぼす影響を考慮すると、これら部材４４５，４４６，４４７，４４８，８１，８２，８３，８４の材料の熱膨張係数は、できるだけクロスダイクロイックプリズム４４４を構成するガラス等の熱膨張係数に近いことが好ましい。
【０１３４】
前記各実施形態では、３つの光変調装置４４１Ｒ，４４１Ｇ，４４１Ｂを用いたプロジェクタの例のみを挙げたが、４つ以上の光変調装置を用いたプロジェクタにも適用可能である。
また、前記各実施形態では、光変調装置４４１（４４１Ｒ，４４１Ｇ，４４１Ｂ）は、光変調素子として液晶パネル４４１Ｒ１，４４１Ｇ１，４４１Ｂ１を用いたが、マイクロミラーを用いたデバイスなど、液晶以外の光変調素子を用いてもよい。
さらに、前記各実施形態では、液晶パネルに、光入射面と光射出面とが異なる透過型の液晶パネルを用いていたが、光入射面と光射出面とが同一となる反射型の液晶パネルを用いてもよい。
加えて、前記各実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【産業上の利用可能性】
【０１３５】
本発明は、プロジェクタに利用できる他、入射する複数の色光を各色光ごとに画像情報に応じて変調して光学像を形成する複数の光変調装置と、これら各光変調装置と対向する複数の光束入射端面を有し、各光変調装置で形成された各色光ごとの光学像を合成する色合成光学素子とを有する光学装置を備えた画像形成装置にも利用することができる。
【図面の簡単な説明】
【０１３６】
【図１】本発明の第１実施形態に係るプロジェクタを上方から見た斜視図。
【図２】前記実施形態におけるプロジェクタを下方から見た斜視図。
【図３】前記実施形態におけるプロジェクタの内部構成を表す斜視図。
【図４】前記実施形態におけるプロジェクタの内部構成を表す斜視図。
【図５】前記実施形態におけるプロジェクタの光学系の構造を表す模式図。
【図６】前記実施形態における光学装置を上方から見た斜視図。
【図７】前記実施形態における光学装置の構造を示す分解斜視図。
【図８】前記実施形態における保持部材を光束入射側から見た斜視図。
【図９】（Ａ）前記実施形態におけるプリズム台座を上方から見た斜視図。              （Ｂ）前記実施形態におけるプリズム台座を下方から見た斜視図。
【図１０】（Ａ）前記実施形態における放熱ブロックを上方から見た斜視図。                （Ｂ）前記実施形態における放熱ブロックを下方から見た斜視図。
【図１１】前記実施形態における光学装置の熱伝導経路を示す模式図。
【図１２】前記実施形態におけるダクトを下方から見た斜視図。
【図１３】前記実施形態におけるダクトおよび導風板を上方から見た斜視図。
【図１４】前記実施形態における冷却流路を示す模式図。
【図１５】本発明の第２実施形態に係る光学装置の構造を示す分解斜視図。
【図１６】前記実施形態におけるプリズム台座を下方から見た斜視図。
【図１７】前記実施形態における保持部材を光束入射側から見た斜視図。
【図１８】前記実施形態における光学装置の熱伝導経路を示す模式図。
【符号の説明】
【０１３７】
１…プロジェクタ、４４，４４Ａ…光学装置、４４１（４４１Ｒ，４４１Ｇ，４４１Ｂ）…光変調装置、４４３Ａ…第１光学変換板（光学素子）、４４３Ａ１…基板、４４３Ａ２…偏光膜（光学素子）、４４３Ｂ２…偏光膜（第２の光学素子）、４４３Ｂ３…視野角補償膜（第２の光学素子）、４４４…クロスダイクロイックプリズム（色合成光学素子）、４４５，８１…プリズム台座（台座、熱伝導性部材）、４４６，８２…放熱ブロック（台座、熱伝導性部材）、４４６１，８２１…突出部、４４８，８４…保持部材、７…冷却ユニット（冷却手段）、８３（８３Ａ，８３Ｂ）…板状部材（熱伝導性部材）。
【図１】
2005274739.tif 000003
【図２】
2005274739.tif 000004
【図３】
2005274739.tif 000005
【図４】
2005274739.tif 000006
【図５】
2005274739.tif 000007
【図６】
2005274739.tif 000008
【図７】
2005274739.tif 000009
【図８】
2005274739.tif 000010
【図９】
2005274739.tif 000011
【図１０】
2005274739.tif 000012
【図１１】
2005274739.tif 000013
【図１２】
2005274739.tif 000014
【図１３】
2005274739.tif 000015
【図１４】
2005274739.tif 000016
【図１５】
2005274739.tif 000017
【図１６】
2005274739.tif 000018
【図１７】
2005274739.tif 000019
【図１８】
2005274739.tif 000020